(57)【特許請求の範囲】
【請求項１】
多数の地緯糸(1) と経糸とから構成されるファスナーテープ(101) の織成と同時に、合成樹脂製モノフィラメントから連続して成形される多数の噛合エレメント部分(E) が、並列する複数本のエレメント固定用経糸(3〜6,8,9,11〜14) により前記テープの一側縁部に沿って順次織り込まれてなるスライドファスナーストリンガー(100) であって、
前記噛合エレメント部分(E) は、前記ファスナーテープ(101) の一側縁から外方に突出する噛合頭部(EH)と、同噛合頭部(EH)の両端からテープ内方に向けて平行に伸びる上下脚部(L) と、同上下脚部(L) の各端部とそれぞれ隣り合う噛合エレメント部分(E) の上下脚部のいずれかとを連結する連結部(RC)とからなり、
前記地緯糸(1) がダブルピックの緯入れによる双糸からなり、各噛合エレメント部分(E) がダブルピックによる地緯糸(1) の緯入れごとにファスナーテープ(101) に織り込まれてなり、
前記並列する複数本のエレメント固定用経糸(3〜6,8,9,11〜14) のうち、少なくとも前記噛合頭部側に配される２以上のエレメント固定用経糸(3,4) が、前記テープ(101) の長手方向に並列する各噛合エレメント部分(E) の上下脚部(L) の上面を跨いで走行したのち、次位の噛合エレメント部分(E) 及び同噛合エレメント部分(E) と平行に走行する地緯糸(1) の下方を跨いで走行するように案内される繰り返し単位からなることを特徴とする織込みスライドファスナーストリンガー。
【請求項２】
前記噛合頭部(EH)側に配される２以上の隣り合うエレメント固定用経糸(3,4) の前記各繰り返し単位が、隣り合う噛合エレメント部分(E) の一個分ずつテープ方向にずれてなる請求項１記載のストリンガー。
【請求項３】
前記噛合頭部(EH)側に最も隣接して配されるエレメント固定用経糸(3) と前記噛合頭部(EH)との間に更に地経糸(2) が配され、同地経糸(2) は前記ダブルピックにより緯入れされる隣り合う緯糸(1,1) の上下を交互に跨いで走行してなる請求項１又は２記載のストリンガー。
【発明の詳細な説明】
【０００１】
【発明の属する技術分野】
本発明は、ファスナーテープの織成と同時に合成樹脂モノフィラメントから成形される連続エレメント列を同テープの一側縁部に沿って織り込むことによりテープ上に固定したスライドファスナーストリンガーに関する。
【０００２】
【従来の技術】
この種の公知の織込みスライドファスナーストリンガーとしては、例えば特公平２−１７１６２号公報に開示されているように、合成樹脂製モノフィラメントを成形して得られるコイル状の多数の並列する噛合エレメント部分からなるエレメント列を、ファスナーテープの織成と同時に、同テープの一側縁部に沿って固定用経糸と地緯糸とをもって織込み固定している。
【０００３】
前記各噛合エレメント部分は、前記ファスナーテープの一側縁から外方に突出する噛合頭部と、同テープの内方に平行に伸びる上下脚部と、隣り合う各噛合エレメント部分の上下脚部を連結する連結部とからなる。また、前記公報に開示されたスライドファスナーストリンガーにあっては、ダブルピックによる双糸からなる地緯糸が各噛合エレメント部分の前記下脚部の下方に沿って配されている。すなわち、緯糸の緯入れごとに一個の噛合エレメント部分が同緯糸と一緒に織り込まれる。
【０００４】
更に、前記公報に図３（図中において特に図解しやすくするために、噛合エレメント部分の噛合頭部を必要において省略してある）に示すように、各噛合エレメント部分Ｅは総数１２本の固定用経糸Ｗ１  〜Ｗ１２により支持されており、同噛合エレメント部分Ｅの連結部側には８本の経糸Ｗ５  〜Ｗ１２が、ファスナーテープの平面視において、高一高一中一低の繰り返し単位で順に案内されており、噛合頭部側の４本の経糸Ｗ１  〜Ｗ４  が高一中一低一中の繰り返し単位で案内されている。ここで、高は、経糸が上下脚部Ｌを上から支持すること、中は、経糸が上下脚部Ｌの下脚部と地緯糸ｗとの間に配されること、低は、地緯糸ｗが上下脚部Ｌを下側から支持することを意味している。なお、図３は図解しやすくするために、噛合エレメント部分の噛合頭部を必要に応じて省略してある。
【０００５】
かかる織構造により、隣り合う噛合エレメント部分間のピッチが安定するばかりでなく、特に高い張力を付与することなく、経糸ポケットを構成する経糸の密度を非常に高めることができ、その結果、噛合エレメント部分間のピッチが安定化され、優れたファスナーテープの柔軟性と可撓性が確保できるため、スライドファスナを衣服類、袋物等の取付素材に高速度で縫製することができるというものである。
【０００６】
【発明が解決しようとする課題】
しかして、上記公報に開示されたスライドファスナーストリンガー、特に並列する各噛合エレメント部分を固定するための固定用経糸の地緯糸に対する交絡態様をみるに、各固定用経糸は上述のごとく高一高一中一低の繰り返し単位、及び高一中一低一中の繰り返し単位で案内されるため、いずれにしても図３に示すように地緯糸ｗに対して３本の双糸からなる緯糸ｗの上方を走行したのちに次位の緯糸ｗの下方を走行し、これを繰り返している。
【０００７】
通常、最終的に仕上げられるスライドファスナーの製造にあっては、２本のスライドファスナーストリンガーをそれぞれの一側縁部に固定された各噛合エレメント列を噛合させた状態で、その長さ方向に一本分のスライドファスナーの長さの間隔をおいて、所要数の噛合エレメント部分を切除して、いわゆるスペース部分を形成してファスナーチェーンを製造する。この噛合エレメント部分の切除は、噛合頭部と上下脚部との境界部分を切断して噛合頭部を落としたのち、各噛合エレメント部分の上下脚部を経糸ポケットから引き抜く。従って、スペース部分が形成されると、同スペース部分の形成領域において各噛合エレメント部分を上下から支持していた固定用経糸が浮き上がる。
【０００８】
一方、スライドファスナーの製造にあたり、前記スペース部分の形成以降に上下止具の固着やスライダーの取付け工程などがあるため、スペース部分の形成により前記固定用経糸の浮き上がりが大きいと、以降の工程で固定用経糸が邪魔になり様々な支障を来すことになる。また、前記スペース部分の長さ方向中央部でファスナーチェーンを切断して最終のスライドファスナーが製造される。前述のようにスペース部分で大きく浮き上がった固定用経糸は、地緯糸による支持も少ないため一端を固着したままファスナーテープから離脱してしまい、製品としての商品価値が低下し、或いはその処理に不用な作業が加わってしまう。
【０００９】
上記公報に開示されたスライドファスナーストリンガーにあっては、上述のごとく固定用経糸は地緯糸に対して３本の双糸からなる緯糸の上を跨いだのちに次位の緯糸の下方に案内されるため、３個の噛合エレメント部分に相応する長さにわたって固定用経糸が浮き上がった状態となり、スペース部分を形成したのちの工程で同固定用経糸が引っ掛かったり、切断されてしまい、或いはスペース部分の端部に隣接する噛合エレメント部分の端部がファスナーテープから抜け出したりして、不良品を発生させる。
【００１０】
本発明は、かかる課題を解決すべくなされたものであり、その具体的な目的は隣り合う噛合エレメント部分間のピッチの安定化及び経糸ポケットを構成する経糸の高密度化を図り、柔軟性及び可撓性に優れ、取付素材に対する縫製の高速化が可能で、しかもスペース部分の形成後にも固定用経糸の浮き上がりが極力抑えられる織込みスライドファスナーストリンガーを提供することにある。
【００１１】
【課題を解決するための手段及び作用効果】
前記目的は、以下に述べるように本件請求項１〜３に係る発明により効果的に達成される。
請求項１に係る発明は、多数の地緯糸と経糸とから構成されるファスナーテープの織成と同時に、合成樹脂製モノフィラメントから連続して成形される多数の噛合エレメント部分が、並列する複数本のエレメント固定用経糸により前記テープの一側縁部に沿って順次織り込まれてなるスライドファスナーストリンガーであって、前記噛合エレメント部分は、前記ファスナーテープの一側縁から外方に突出する噛合頭部と、同噛合頭部の両端からテープ内方に向けて平行に伸びる上下脚部と、同上下脚部の各端部とそれぞれ隣り合う噛合エレメント部分の下上脚部とを連結する連結部とからなり、前記地緯糸がダブルピックの緯入れによる双糸からなり、各噛合エレメント部分がダブルピックによる地緯糸の緯入れごとにファスナーテープに織り込まれており、前記並列する複数本のエレメント固定用経糸のうち、少なくとも前記噛合頭部側に配される２以上のエレメント固定用経糸が、前記テープの長手方向に並列する各噛合エレメント部分の上下脚部の上面を跨いで走行したのち、次位の噛合エレメント部分及び同噛合エレメント部分と平行に走行する地緯糸の下方を跨いで走行するように案内される繰り返し単位からなることを特徴とする織込みスライドファスナーストリンガーにある。
【００１２】
かかる構成により、スペース部分を形成して所望数の噛合エレメント部分が切除されても、同切除部分の固定用経糸は、少なくとも各噛合エレメント部分の下脚部の下方に配された地緯糸に対して下方を潜り、隣り合う噛合エレメント部分の下脚部の下方に配される地緯糸の上方を跨ぐため、各固定用経糸ともに大きく浮き上がることがなく、スライドファスナーの以降の製造工程において格別の支障を来すことなく、生産能率を一段と向上させる。
更に、この発明では各噛合エレメント部分がダブルピックによる地緯糸の緯入れごとにファスナーテープに織り込まれており、緯糸密度を通常の１／２にしてもファスナーテープの機能が失われず、しかも生産効率は２倍となるばかりでなく、緯糸密度を必要最小限としてファスナーテープの柔軟性と可撓性を確保することもでき、もって柔軟なスライドファスナーの取付素材に対しても、柔軟性を失うことなく取り付けることができると共に、縫製にあたっても前記取付素材によく対応できる。
【００１３】
請求項２に係る発明にあっては、前記噛合頭部側に配される２以上の隣り合うエレメント固定用経糸の前記各繰り返し単位を、隣り合う噛合エレメント部分の一個分ずつテープ方向にずらせている。そのため、各噛合エレメント部分が均等に固定用経糸により支持され、噛合エレメント部分間のピッチが安定化する。
【００１６】
請求項３に係る発明は、前記噛合頭部側に最も隣接して配されるエレメント固定用経糸と前記噛合頭部との間に更に地経糸が配され、同地経糸は前記ダブルピックにより緯入れされる隣り合う緯糸を交互に上下を跨いで走行している。ダブルピックにより緯入れされる地緯糸は、噛合エレメント列側のテープ端縁で前後に分岐してテープ端を構成している。このため、通常であれば、前記分岐端は固定用経糸と交絡してテープ端縁を構成するが、本発明では同テープ端縁を地経糸との交絡により構成しており、しかもその交絡形態がダブルピックによる隣り合う地緯糸の上下を交互に走行するようにして、テープ端縁の形態の安定化を確保すると共に、スペース部分の形成によっても地緯糸の分岐端に弛みを発生させないようにしている。
【００１７】
【発明の実施形態】
以下、本発明の好適な実施の形態を添付図面を参照しながら具体的に説明する。図１及び図２は本発明の代表的な実施形態を示し、図１はファスナーテープの幅方向中央部の図示を省略すると共に噛合エレメント列の一部を切除して示す平面図、図２は織込みスライドファスナーストリンガーの噛合エレメント列の取付部の部分斜視図である。なお、これらの図は特に理解の便を図って、各種の緯糸、経糸を相対的に細く示し、また織込み構造（組織）を粗く示しているが、実際にはファスナーとしての機能を考慮し、各種の緯糸、経糸は所要の太さの糸条を使用し、また、織込み構造（組織）も緻密な状態にあり、ファスナーとしての機能を発揮できる構造となっている。
【００１８】
本発明の織込みスライドファスナーストリンガー１００も、噛合エレメント列固定領域１０２とテープ主体部１０３とから構成されるファスナーテープ１０１の前記噛合エレメント列固定領域１０２に噛合エレメント列ＥＲが一体に織り込まれて固定されている。本実施例にあって、ファスナーテープ１０１の構成糸条である地緯糸１は、経糸開口部の杼道に図示せぬキャリアーバーを往復動（ダブルピック）させることにより緯入れされるため双糸からなる。経糸は、ファスナーテープの地組織を構成する地経糸と前記噛合エレメント列ＥＲの固定用経糸とからなる。
【００１９】
前記噛合エレメント列固定領域１０２には１０本のエレメント列固定用経糸３，４，５，６，８，９，１１，１２，１３，１４が配され、前記テープ主体部１０３及び前記噛合エレメント列固定領域１０２には多数の地経糸２，７，１０，１５，１６，１７，１８，１９〜が配されている。これらの経糸は前記噛合エレメント列固定領域１０２の外端縁から符号の順序で順次整経されて、図示せぬ織機上に供給される。
【００２０】
前記噛合エレメント列固定領域１０２には、合成樹脂製のモノフィラメントからコイル状に連続して成形された多数の噛合エレメント部分Ｅが前記織構造中に織り込まれて固定される。前記噛合エレメント部分Ｅは、ファスナーテープ１０１の前記噛合エレメント列固定領域１０２から外方に突出する噛合頭部ＥＨと、同噛合頭部ＥＨのファスナーテープ１０１に直交する方向の両端から同ファスナーテープ１０１の内方に向けて平行に延びる上下脚部Ｌと、同上下脚部Ｌの各端部とテープ方向の前後に隣接する噛合エレメント部分Ｅの上下脚部Ｌのいずれかと連結する連結部ＲＣとから構成されている。
【００２１】
前記噛合エレメント部分Ｅは、地緯糸１がダブルピックによる緯入れがなされるとき、同時にテープの端部から内側を所定の長さ往復動する図示せぬキャリアーバーにより導かれて成形と共に緯入れされる。従って、本実施例ではダブルピックにより緯入れされる各地緯糸１はそれぞれ噛合エレメント部分Ｅの上下脚部Ｌの下方に沿って存在することになる。
【００２２】
前記地緯糸１のテープ主体部１０３側の端部におけるループ状の折り返し端は、図示せぬ編み針が差し通され、次位の地緯糸１の緯入れ時の折り返しループ端を引っ掛けながら先位のループ端から抜け出して、順次ループ端同士を連結し、テープ主体部１０３の端縁耳部１０３ａを形成する。
【００２３】
本実施例にあっては、上記固定用経糸３，４，５，６，８，９，１１，１２，１３，１４のうち、噛合エレメント部分Ｅの噛合頭部ＥＨ寄りの２本の隣り合う固定用経糸３，４がテープ長さ方向に噛合エレメント部分Ｅの１ピッチだけ繰り返し単位をずらしながら、上下脚部Ｌの上を跨いだのちに次位の上下脚部Ｌの下方に配された地緯糸１の下を跨いで走行し、これを繰り返し単位として噛合エレメント部分Ｅを順次ファスナーテープ１０１に織り込み固定している。
【００２４】
前記２本の固定用経糸３，４に続く２本の固定用経糸５，６は同じく繰り返し単位を１ピッチずらして、２個の噛合エレメント部分Ｅの上下脚部Ｌの中央部の上を跨いだのち、次位に続く１個の噛合エレメント部分Ｅの中央部の下方とその下方に位置する地緯糸１との間を跨いで走行し、更に次位に続く１個の噛合エレメント部分Ｅの上下脚部Ｌの中央部の下方に位置する地緯糸１の下方を跨いで走行し、これを繰り返している。この２本の固定用経糸５，６に続いて１本の地経糸７が配され、同地経糸７は並列する地緯糸１に対して交互に上下を跨いで走行し、常に噛合エレメント部分Ｅの下側に位置している。
【００２５】
前記地経糸７に隣り合ってテープ内方に配される２本の固定用経糸８，９も前記２本の固定用経糸５，６と同様の繰り返し単位を１ピッチずらして走行しており、これらの固定用経糸８，９のテープ内方に配される地経糸１０もまた前記地経糸７と同様に並列する地緯糸１に対して交互に上下を跨いで走行し、常に噛合エレメント部分Ｅの下側に位置している。
【００２６】
前記地経糸１０のテープ内方に続いて配される４本の固定用経糸１１〜１４は、噛合エレメント部分Ｅの上下脚部Ｌの連結部ＲＣ側を固定するものであり、各固定用経糸１１〜１４は上記噛合頭部ＥＨ寄りの固定用経糸３，４と同様の繰り返し単位で走行している。すなわち、これらの固定用経糸１１〜１４はテープ長さ方向に噛合エレメント部分Ｅの１ピッチだけ繰り返し単位をずらしながら、上下脚部Ｌの連結部ＲＣ寄りの上を跨いだのちに次位の上下脚部Ｌの下方に配された地緯糸１の下を跨いで走行し、これを繰り返して噛合エレメント部分Ｅを順次ファスナーテープ１０１に織り込み固定している。
【００２７】
テープ主体部１０３を構成する地経糸１５〜と地緯糸１は互いにジグザグに交差して配された、いわゆる平織組織とされている。一方、本実施例では、更に上記噛合頭部ＥＨ寄りの２本の固定用経糸３，４のテープ端側に１本の地経糸２が配されている。
【００２８】
さて、以上のごとき構成により、本実施例の織込みスライドファスナーストリンガー１００は、一対のスライドファスナーストリンガー１００の対向する噛合エレメント列ＥＲを、その長さ方向にスライドファスナー長さの間隔をおいて所要の長さ切除してスペース部分を形成すると、図１及び図２からも理解できるように、同スペース部分におけるファスナーテープ１０１の噛合頭部ＥＨ側の端縁は、前記地経糸２及び固定用経糸３，４が互いに緯糸１本分のピッチをずらしてて、並列する地緯糸１に対して交互に上下を走行している。そのため、スペース部分が形成された後にも、前記各経糸２〜４は大きく浮き上がることがなく、次工程以降のスライドファスナーの製造工程において、前記経糸２〜４による影響がなく、安定した生産を行うことができるため、高品質で且つ高速生産が可能となる。
【００２９】
なお、上記実施例は本発明の代表的な織込みスライドファスナーストリンガーについて述べたものであるが、本発明は上記実施例に限定されるものではなく、例えば地緯糸としてダブルピックによらない単一糸条とすることも可能であり、また固定用経糸の本数及びそれらの配置及び織組織も、噛合頭部側の数本の固定用経糸を除いて自由に設計することが可能である。
【図面の簡単な説明】
【図１】本発明の好適な実施の形態を示すスライドファスナーストリンガーの一部を切除して示す平面図である。
【図２】同スライドファスナーストリンガーの噛合エレメント列の固着構造を示す部分斜視図である。
【図３】従来のスライドファスナーストリンガーの噛合エレメント列の固着構造を示す部分斜視図である。
【符号の説明】
１                        地緯糸
２，７，１０，１５        地経糸
３〜６，８，９，１１〜１４固定用経糸
１００                        スライドファスナーストリンガー
１０１                        ファスナーテープ
１０２                        噛合エレメント列固定領域
１０３                        テープ主体部
１０３ａ                      端縁耳部
ＥＲ                        噛合エレメント列
Ｅ                        噛合エレメント部分
ＥＨ                        噛合頭部
Ｌ                        上下脚部
ＲＣ                        連結部
【図１】
0003583016.tif 000002
【図２】
0003583016.tif 000003
【図３】
0003583016.tif 000004